(57)【要約】【課題】表示や広告欄等の掲載順序を容易に変更することができる表示体を提供する。【解決手段】設置面に間隔をおいて立設された２個の柱状体１と、該柱状体１の上端部に架け渡された横架材２と、前記柱状体１間に支持された表示板３とを備え、前記柱状体１の相対向する内側側面１１には凹溝１２がそれぞれ上下方向に形成され、前記表示板３は、その両側端部３１が前記凹溝１２を介して柱状体１に支持されると共に、前記凹溝１２に沿って上下に移動可能としているため、表示板３を上下に移動させるだけで、表示や広告欄等の掲載順序を容易に変更することができる。【選択図】        図１
2013205496.tif 000002
【特許請求の範囲】
【請求項１】
設置面に間隔をおいて立設された２個の柱状体と、該柱状体の上端部に架け渡された横架材と、前記柱状体間に支持された表示板とを備え、前記柱状体の相対向する内側側面には凹溝がそれぞれ上下方向に形成され、前記表示板は、その両側端部が前記凹溝を介して柱状体に支持されると共に、前記凹溝に沿って上下に移動可能となされていることを特徴とする表示体。
【請求項２】
前記凹溝に沿って上下に移動可能となされた表示板取付金具が、前記凹溝を介して柱状体に支持され、前記表示板取付金具に表示板の両側端部が取付けられていることを特徴とする請求項１に記載の表示体。
【請求項３】
前記表示板取付金具は、凹溝に移動可能に挿入された固定具に支持される基板部と、前記表示板の側端部が取付けられる取付板部とを備えたＬ字状に形成されていることを特徴とする請求項２に記載の表示体。
【請求項４】
前記柱状体の相対向する内側側面には２個の並行な凹溝が上下方向にそれぞれ形成され、２個の前記凹溝を介して、前記柱状体間に正面側表示板と背面側表示板とが相対向して支持されていることを特徴とする請求項１〜３のいずれか１項に記載の表示体。
【発明の詳細な説明】
【技術分野】
【０００１】
本発明は、駅前付近や、路線バスや各種送迎用バスの停留所、等に設置される広告や行先案内等の表示を行う表示体に関するものである。
【背景技術】
【０００２】
駅前付近や、路線バスや各種送迎用バスの停留所、等に設置される表示体については、種々の発明がなされており、例えば、非常用点灯点滅装置、非常用無線案内警報装置、並びに街灯機能を備えると共に、表示盤に広告機能若しくは広告掲載を可能とするバス停留所標識である表示体が開示されている（特許文献１）。
【先行技術文献】
【特許文献】
【０００３】
【特許文献１】特開２００８−２６９５３６号公報
【発明の開示】
【発明が解決しようとする課題】
【０００４】
特許文献１に開示されている表示体は、その前面側にバス停名や行先名が最上段に表示され、その下に副称広告欄が設けられ、その下に町内地図が掲載され、その下に広告欄が設けられた表示板を備えている。しかしながら、この表示体は一体の表示板に前記各種表示や広告欄が配置されているため、その表示や広告欄の掲載順序を変更する際には、その度に設計し直さなければならず、手間を取っていた。
【０００５】
本発明は、前記の如き懸念を解消し、表示や広告欄等の掲載順序を容易に変更することができる表示体を提供せんとするものである。
【課題を解決するための手段】
【０００６】
上記目的を達成するために、本発明は次のような構成としている。
すなわち本発明に係る表示体は、設置面に間隔をおいて立設された２個の柱状体と、該柱状体の上端部に架け渡された横架材と、前記柱状体間に支持された表示板とを備え、前記柱状体の相対向する内側側面には凹溝がそれぞれ上下方向に形成され、前記表示板は、その両側端部が前記凹溝を介して柱状体に支持されると共に、前記凹溝に沿って上下に移動可能となされていることを特徴とするものである。
【０００７】
また本発明に係る表示体は、前記凹溝に沿って上下に移動可能となされた表示板取付金具が、前記凹溝を介して柱状体に支持され、前記表示板取付金具に表示板の両側端部が取付けられていることを特徴とするものである。
【０００８】
また本発明に係る表示体は、前記表示板取付金具は、凹溝に移動可能に挿入された固定具に支持される基板部と、前記表示板の側端部が取付けられる取付板部とを備えたＬ字状に形成されていることを特徴とするものである。
【０００９】
また本発明に係る表示体は、前記柱状体の相対向する内側側面には２個の並行な凹溝が上下方向にそれぞれ形成され、２個の前記凹溝を介して、前記柱状体間に正面側表示板と背面側表示板とが相対向して支持されていることを特徴とするものである。
【発明の効果】
【００１０】
本発明に係る表示体によれば、前記表示板を、その両側端部を前記凹溝を介して柱状体に支持すると共に、前記凹溝に沿って上下に移動可能としているため、表示板を上下に移動させるだけで、表示や広告欄等の掲載順序を容易に変更することができる。
【００１１】
また本発明に係る表示体によれば、前記凹溝に沿って上下に移動可能となされた表示板取付金具を、前記凹溝を介して柱状体に支持し、前記表示板取付金具に表示板の両側端部を取付けるようにしているため、表示板取付金具及び表示板の形態を複数揃えておけば、その種類の数だけ表示板の種類を選択でき、表示体の構成の自由度を向上させることができる。
【００１２】
また本発明に係る表示体によれば、前記表示板取付金具を、凹溝に移動可能に挿入した固定具に支持される基板部と、前記表示板の側端部を取付ける取付板部とを備えたＬ字状に形成しているため、表示板取付金具を効率よく製造でき、また固定具及び表示板と表示板取付金具とを容易に取付けることができる。
【図面の簡単な説明】
【００１３】
【図１】本発明に係る表示体の設置状体を示す正面図である。
【図２】図１に示す実施形態の、（イ）は正面図、（ロ）は平面図、（ハ）は底面図、（ニ）は側面図である。
【図３】図２のＡ−Ａ断面図である。
【図４】図２のＢ−Ｂ断面図である。
【図５】本発明に係る表示体の別の実施形態を示す、（イ）は正面図、（ロ）は平面図、（ハ）は底面図、（ニ）は側面図である。
【図６】図３のＣ−Ｃ断面図である。
【図７】本発明に係る表示体の別の実施形態を示す、（イ）は正面図、（ロ）は平面図、（ハ）は底面図、（ニ）は側面図である。
【図８】図５のＤ−Ｄ断面図である。
【発明を実施するための形態】
【００１４】
次に、本発明を実施するための形態について図面を参照し、具体的に説明する。
図面において、１は設置面Ｇに間隔をおいて立設された２個の柱状体、２は該柱状体の上端部に架け渡された横架材、３は前記柱状体１間に支持された表示板であり、本実施形態に係る表示体Ｐは、前記柱状体１と横架材２と表示板３とを備えている。
【００１５】
柱状体１は、水平断面が台形状のアルミニウム合金押出型材であり、設置面Ｇに間隔をおいて立設された２個の柱状体１の相対向する内側側面１１には、２個の並行な凹溝１２が上下方向にそれぞれの柱状体１に形成されている。該凹溝１２は、開口部がその奥よりも狭く形成された蟻溝状となされている。また、凹溝１２が形成されている内側側面１１と反対側の柱状体１の外側側面１３にも、蟻溝状の溝部１４が１個上下方向に形成されている。この溝部１４は、柱状体１に別途部材を取付ける際に用いるためのものであり、例えば、熱可塑性合成樹脂に木粉を混練して、平板状に押出成形した木質調の成形体を、アルミニウム合金押出型材である柱状体１の化粧部材として、その外側側面１３に取付けることにより、表示体Ｐの外観を容易に変更することができる。更に、前記柱状体１の水平断面視で四隅には、柱状体１の上端部に架け渡された横架材２を柱状体１に固定するための４本のビスＢを螺入するためのビス孔１５が形成されている。
【００１６】
横架材２は、横長長方形状の上板２１の外周から４個の壁部２２が垂下されてなり、２個の柱状体１の上端部がその両側端部に挿入され、該柱状体１の上端部の内側側面１１以外の外側側面１３を含む３側面が横架材２の壁部２２に囲まれ、柱状体１のビス孔１５の位置に対応する位置に上板２１に穿設された４個の通孔２３に、前記４本のビスＢを挿入し、ビス孔１５に螺入して、柱状体１と横架材２とが固定されている。
また、上板２１の上面中央には短尺の円筒２４が立設されている。該円筒２４に、正面視で円板４が正面側と背面側とに取付けられている。この円板４には、例えば、バス停留所名が掲載されている。なお、横架材２の材質はアルミニウム合金であり、鋳造されて形成されている。
【００１７】
表示板３は、その両側端部３１が前記凹溝１２を介して柱状体１に支持されると共に、前記凹溝１２に沿って上下に移動可能となされている。具体的には、凹溝１２に移動可能に挿入された固定具であるボルト５に支持される基板部６１と、前記表示板３の側端部３１が取付けられる取付板部６２とを備えたＬ字状に形成されている表示板取付金具６が、前記凹溝１２に沿って上下に移動可能に、前記凹溝１２を介して柱状体１に支持され、前記表示板取付金具６に表示板３の両側端部３１が取付けられている。詳細には、表示板３は、その前面に広告や地図等が掲載される平板状の表示板本体３２と、表示板本体３１の背面側に左右方向に延びて、表示板本体３１の上部と下部とにそれぞれ取付けられている表示板取付部３３とを備えている。該表示板取付部３３は、柱状体１の内側側面１１に形成されている凹溝１２と同様、開口部が奥より狭くなされている蟻溝状に形成されている蟻溝部３３１と、該蟻溝部３３１の底部から上下方向に延設されて、表示板本体３２の背面に取付けられた平板部３３２とを備えており、蟻溝部３３１は表示板本体３２と反対側に開口している。なお、図１〜４に示す実施形態においては、表示板３は、前記柱状体１の相対向する内側側面１１に上下方向にそれぞれ形成された２個の並行な凹溝１２を介して、前記柱状体１間に正面側表示板３ａと背面側表示板３ｂとが相対向して支持されており、図５〜８に示す実施形態においては、２個の凹溝１２の内の一方のみを使用して、表示板３は片側の正面側のみに支持されている。
【００１８】
前記Ｌ字状に形成された４個の表示板取付金具６の基板部６１と取付板部６２には、透孔がそれぞれ形成され、凹溝１２に移動可能に挿入されたボルト５のボルト頭部５１から突設されたネジ部が、前記基板部６１の透孔に挿入され、ナットＮ１を螺着して、柱状体１と表示板取付金具６とが固定されている。そして、前記蟻溝状に形成されている表示板取付部３３にボルトＫ１のボルト頭部Ｋ１１を挿入し、ボルト頭部Ｋ１から突設されているネジ部を、前記取付板部６２の透孔に挿入し、ナットＮ２を螺着して、表示板取付金具６と表示板３とが固定されている。従って、柱状体１の凹溝１２に沿ってボルト５を上下方向に移動させ、ナットＮ１を螺着すれば、所望の位置に表示板３を取付けることができる。
【００１９】
なお、前記表示板３の上部には、表示板３を照明するためのＬＥＤ照明Ｓが突出して取付けられ、そして、このＬＥＤ照明Ｓに電力を供給するソーラーパネルＴがその上面に取付けられている。
【００２０】
そして、このようにして構成される本形態の表示体Ｐは、前記柱状体１の下部を直接コンクリートで埋設したり、埋設したアンカー部材に取付ける等して設置面Ｇに立設される。
【００２１】
図５〜８に示す実施形態は、図１〜４に示す実施形態に加えて、表示板３の下方にサインパネル体７が設けられている。
まず、図５，６に示す実施形態について説明する。本形態においてサインパネル体７は、その上部に、時刻表や地図を掲載する等のための傾斜したサイン板７１を備え、該サイン板７１の左右端部からそれぞれ側板７２が垂下されている。該側板７２には上下方向に２組ずつボルト孔７３が３段に、合計６個形成されており、該ボルト孔７３の孔位置は前記柱状体１の内側側面１１に設けられている凹溝１２に対応しており、凹溝１２にボルト頭が挿入されたボルトＫ２のネジ部が前記ボルト孔７３に挿入され、ナットＮ３を締め付けて、サインパネル体７と柱状体１とが固定されている。そして、前記側板７２の下端面が横長の長方形状の底板７４上に溶接等により固着され、設置面Ｇに底板７４の下面が当接されて、表示体Ｐが立設されている。なお、底板７４を含むサインパネル体７の下部をコンクリートで埋設して、表示体Ｐを立設させてもよいし、図５に示すように、底板７４の四隅にアンカー用孔７５を設けて、設置面に立設されたアンカーを前記アンカー用孔７５に挿入してナットを締め込み、表示体Ｐを立設させてもよい。また、底板７４と側板７２とに亘って、補強用の平リブ７６を取付ける様にしてもよい。
【００２２】
次に、図７，８に示す実施形態について説明する。本形態においてサインパネル体７は、その上部に傾斜したサイン板７１の下端から前面板７７が垂下され、該前面板７７の両側端部は左右の側板７２の前側端部に取付けられ、かつ前記前面板７７の下端部は底板７４の上面に取付けられている。この前面板７７には、災害時の避難経路や表示体Ｐが設置されている場所の海抜と言った有災時の避難誘導に役立つ表示７８が取付けられている。それ以外の構成については、図５，６に示す実施形態と同様である。
【符号の説明】
【００２３】
１      柱状体
１１    内側側面
１２    凹溝
１３    外側側面
１４    溝部
１５    ビス孔
２      横架材
２１    上板
２２    壁部
２３    通孔
２４    短円管
３      表示板
３ａ    正面側表示板
３ｂ    背面側表示板
３１    側端部
３２    表示板本体
３３    表示板取付部
３３１  蟻溝部
３３２  平板部
４      円板
５      ボルト（固定部）
５１    ボルト頭
６      表示板取付金具
６１    基板部
６２    取付板部
７      サインパネル体
７１    サイン板
７２    側板
７３    ボルト孔
７４    底板
７５    アンカー用孔
７６    平リブ
７７    前面板
７８    表示
Ｂ      ビス
Ｇ      設置面
Ｎ１，Ｎ２，Ｎ３    ナット
Ｋ１，Ｋ２    ボルト
Ｓ      ＬＥＤ照明
Ｔ      ソーラーパネル
Ｐ      表示体
【図１】
2013205496.tif 000003
【図２】
2013205496.tif 000004
【図３】
2013205496.tif 000005
【図４】
2013205496.tif 000006
【図５】
2013205496.tif 000007
【図６】
2013205496.tif 000008
【図７】
2013205496.tif 000009
【図８】
2013205496.tif 000010